(57)【要約】【課題】椅子座面部や椅子背面部などの形状や高さなどを簡便かつ自在に設計することができ、システムの機能性、美観性、そして製造、組み立てのコストパフォーマンスを良好なものとすることができる組み立て椅子を提供すること。【解決手段】直方体ブロック１、２が複数個連結して形成されている組み立て椅子４であって、前記直方体ブロック１、２は、長手方向長さが異なり、かつ、長手方向と直交する断面形状が同じである２種以上によって構成され、少なくとも椅子座面部２１は、長手方向長さが同じである複数の直方体ブロック２が連結されて形成されている組み立て椅子４とする。【選択図】図２
2015123227.tif 000002
【特許請求の範囲】
【請求項１】
直方体ブロックが複数個連結して形成されている組み立て椅子であって、
前記直方体ブロックは、長手方向長さが異なり、かつ、長手方向と直交する断面形状が同じである２種以上によって構成され、少なくとも椅子座面部は、長手方向長さが同じである複数の直方体ブロックが連結されて形成されていることを特徴とする組み立て椅子。
【請求項２】
椅子座面部の後方に椅子背面部を備え、この椅子背面部は、椅子座面部を構成する直方体ブロックよりも長手方向長さが長い直方体ブロックが連結されて形成されていることを特徴とする請求項１の組み立て椅子。
【請求項３】
椅子座面部の左右のうちの少なくともいずれか一方側に椅子肘掛部を備え、この椅子肘掛部は、椅子座面部を構成する直方体ブロックよりも長手方向長さが長い直方体ブロックが連結されて形成されていることを特徴とする請求項１または２の組み立て椅子。
【請求項４】
椅子座面部は、所望の椅子座面部の高さと等しい長手方向長さを有する直方体ブロックが水平方向に連結されて形成されていることを特徴とする請求項１から３のいずれかの組み立て椅子。
【請求項５】
椅子背面部は、所望の椅子背面部の高さと等しい長手方向長さを有する直方体ブロックが水平方向に連結されて形成されていることを特徴とする請求項２の組み立て椅子。
【請求項６】
隣接する直方体ブロックは、連結部材を介して連結されていることを特徴とする請求項１から５のいずれかの組み立て椅子。
【請求項７】
直方体ブロックには凹部または凸部が設けられているとともに、連結部材には前記直方体ブロックの凹部または凸部に対応する凸部または凹部が形成されており、隣接する直方体ブロックは、連結部材との凹凸嵌合を介して連結されていることを特徴とする請求項６の組み立て家具。
【発明の詳細な説明】
【技術分野】
【０００１】
本発明は、組み立て椅子に関する。
【背景技術】
【０００２】
従来より、様々な家具や室内備品をユニットモジュールの組み合わせによってシステム構成する試みがなされている。例えば、特許文献１には、直方体の連結ブロックを組み合わせることで自由に形状を変更することができるシステム家具が記載されている。
【先行技術文献】
【特許文献】
【０００３】
【特許文献１】特開平10−5054号公報
【発明の概要】
【発明が解決しようとする課題】
【０００４】
しかしながら、従来の特許文献１のシステム家具の場合、一方の連結ブロックの凹部と他方の連結ブロックの凸部とを嵌合させることで複数の連結ブロックを玩具的に積み上げて組み立てている。このため、例えば、椅子座面部の高さを調整する場合には、凹凸嵌合を介して連結ブロックをさらに積み上げて椅子座面部を高くしたり、凹凸嵌合を解除して連結ブロックを取り除いて椅子座面部の高さを低くして連結ブロックの数を調整する必要があり、作業が面倒であるという問題がある。例えば、このような問題からも従来のシステム家具の場合には実用化されているものは少ない。しかも従来のシステム家具の場合、システムとしての機能性能とともに美観性、そして良好なユニットの製造、組み立てのコストパフォーマンスを有するものとすることは必ずしも容易ではなかった。
【０００５】
本発明は、以上のとおりの事情に鑑みてなされたものであり、椅子座面部や椅子背面部などの形状や高さなどを簡便かつ自在に設計することができ、システムの機能性、美観性、そして製造、組み立てのコストパフォーマンスを良好なものとすることができる家具としての組み立て椅子を提供することを課題としている。
【課題を解決するための手段】
【０００６】
上記の課題を解決するために、本発明の組み立て椅子は、直方体ブロックが複数個連結して形成されている組み立て椅子であって、前記直方体ブロックは、長手方向長さが異なり、かつ、長手方と直交する断面形状が同じである２種以上によって構成され、少なくとも椅子座面部は、長手方向長さが同じ複数の直方体ブロックが連結されて形成されていることを特徴としている。
【０００７】
この組み立て椅子では、椅子座面部の後方に椅子背面部を備え、この椅子背面部は、椅子座面部を構成する直方体ブロックよりも長手方向長さが長い直方体ブロックが連結されて形成されていることが好ましい。
【０００８】
この組み立て椅子では、椅子座面部の左右のうちの少なくともいずれか一方側に椅子肘掛部を備え、この椅子肘掛部は、椅子座面部を構成する直方体ブロックよりも長手方向長さが長い直方体ブロックが連結されて形成されていることが好ましい。
【０００９】
この組み立て椅子では、椅子座面部は、所望の椅子座面部の高さと等しい長手方向長さを有する直方体ブロックが水平方向に連結されて形成されているが好ましい。
【００１０】
この組み立て椅子では、椅子背面部は、所望の椅子背面部の高さと等しい長手方向長さを有する直方体ブロックが水平方向に連結されて形成されていることが好ましい。
【００１１】
この組み立て椅子では、隣接する直方体ブロックは、連結部材を介して連結されていることが好ましい。
【００１２】
この組み立て椅子では、直方体ブロックには凹部または凸部が設けられているとともに、連結部材には前記直方体ブロックの凹部または凸部に対応する凸部または凹部が形成されており、隣接する直方体ブロックは、連結部材との凹凸嵌合を介して連結されていることが好ましい。
【発明の効果】
【００１３】
本発明の組み立て椅子によれば、椅子座面部や椅子背面部などの形状や高さなどを簡便かつ自在に設計することができ、システムの機能性、美観性、そして製造、組み立てのコストパフォーマンスを良好なものとすることができる。
【図面の簡単な説明】
【００１４】
【図１】本発明の組み立て椅子を形成する椅子背面部を構成する直方体ブロックと椅子座面部を構成する直方体ブロックの一実施形態を例示した斜視図である。
【図２】本発明の組み立て椅子の一実施形態を例示した斜視図である。
【図３】本発明の組み立て椅子の一実施形態を例示した斜視図である。
【図４】本発明の組み立て椅子の一実施形態を例示した斜視図である。
【図５】本発明の組み立て椅子の一実施形態を例示した斜視図である。
【図６】組み立てテーブルの一実施形態について例示した斜視図である。
【図７】（Ａ）（Ｂ）は、組み立てテーブルの一実施形態について例示した斜視図である。
【図８】（Ａ）（Ｂ）は、直方体ブロックを連結するための連結部材の一実施形態を例示した斜視図である。
【図９】直方体ブロックを連結するための連結部材の一実施形態を例示した斜視図である。
【発明を実施するための形態】
【００１５】
図１は、本発明の組み立て椅子を形成する椅子背面部を構成する直方体ブロックと椅子座面部を構成する直方体ブロックの一実施形態を例示した斜視図である。図２は、本発明の組み立て椅子の一実施形態を例示した斜視図である。
【００１６】
組み立て椅子４は、縦長の直方体ブロック１、２が複数個連結して形成される。具体的には、図１に例示したように、長手方向（縦方向）長さが異なり、かつ、長手方向と直交する断面形状が同じである２種以上の直方体ブロック１、２が使用される。そして、組み立て椅子４の椅子座面部２１は、長手方向長さが同じ複数の直方体ブロック２が複数連結されて形成されている。
【００１７】
椅子背面部１１を構成する直方体ブロック１は、所望の椅子背面部１１の高さと等しい長手方向長さh1を有していることが好ましい。したがって、椅子背面部１１を構成する直方体ブロックの長手方向長さh1は、椅子背面部１１の高さを考慮して設計されたものを適宜選択することができる。
【００１８】
椅子座面部２１を構成する直方体ブロック２は、所望の椅子座面部２１の高さと等しい長手方向長さh2を有していることが好ましい。したがって、椅子座面部２１を構成する直方体ブロック２の長手方向長さh2は、椅子座面部２１の高さを考慮して設計されたものを適宜選択することができる。
【００１９】
椅子背面部１１を構成する直方体ブロック１の底面１a、上面１bおよび椅子座面部２１を構成する直方体ブロック２の底面２a、上面２bの形状は必ずしも正方形に限定されず、長方形に形成されていてもよい。
【００２０】
椅子背面部１１を構成する直方体ブロック１の長手方向長さh1は椅子座面部２１を構成する直方体ブロック２の長手方向長さh2よりも長く形成されている。
【００２１】
椅子背面部１１を構成する直方体ブロック１および椅子座面部２１を構成する直方体ブロック２の材料は特に限定されないが、木材、プラスチック、金属、ゴム、クッション材などの材料から適宜選択することができる。
【００２２】
図２に例示したように、椅子背面部１１は、長手方向長さが長い同形の直方体ブロック１が水平方向に複数個連結されて形成されている。椅子座面部２１は、長手方向長さが短い同形の直方体ブロック２が水平方向に複数個連結されて形成されている。椅子背面部１１および椅子座面部２１を構成する直方体ブロック１は、その長手方向が組み立て椅子４の上下方向（鉛直方向）と平行となるように配置される。椅子背面部１１を構成する直方体ブロック１の長手方向長さh1は、椅子座面部２１を構成する直方体ブロック２の長手方向長さh2よりも長く形成されているため、椅子背面部１１は、椅子座面部２１よりも一段高く形成されている。
【００２３】
椅子背面部１１を構成する隣り合う直方体ブロック１同士、椅子座面部２１を構成する隣り合う直方体ブロック２同士の連結手段（図示していない）は特に限定されない。また、椅子背面部１１を構成する直方体ブロック１と椅子座面部２１を構成する直方体ブロック２の連結手段（図示していない）も特に限定されない。連結手段の具体例については後述する。
【００２４】
組み立て椅子４は、長手方向長さが異なり、かつ、長手方向と直交する断面形状が同じである２種以上の直方体ブロック１、２によって構成されている。また、椅子背面部１１を構成する直方体ブロック１は、所望の椅子背面部１１の高さと等しい長手方向長さh1を有する同形であり、水平方向に複数個連結されている。さらに、椅子座面部２１を構成する直方体ブロック２は、所望の椅子座面部２１の高さと等しい長手方向長さh2を有する同形であり、水平方向に複数個連結されている。このため、例えば、椅子座面部２１と椅子背面部１１の高さを調整する場合には、所望の高さを考慮して好適な直方体ブロック１、２を選択して組み替えればよく、椅子座面部２１と椅子背面部１１の高さの調整を容易に行うことができる。したがって、従来のようにブロックの積み上げや除去などを行わなくとも、椅子背面部１１を構成する直方体ブロック１および椅子座面部２１を構成する直方体ブロック２を選択して取り換えるだけで、椅子座面部２１と椅子背面部１１の形状や高さを簡便かつ自在に変更することができる。
【００２５】
さらに、水平方向への連結する直方体ブロック１、２を増減させることで、椅子背面部１１および椅子座面部２１の平面積も容易に調整することができる。このため、組み立て椅子４は、椅子背面部１１を構成する直方体ブロック１または椅子座面部２１を構成する直方体ブロック２の配置、数を変更することで、組み立て椅子４の形状や大きさを生活スタイルなどに応じて変更することができる。
【００２６】
また、組み立て椅子４は、椅子背面部１１を構成する直方体ブロック１および椅子座面部２１を構成する直方体ブロック２がそれぞれ同形状のユニットを構成しているので、例えば、椅子背面部１１を構成する直方体ブロック１、椅子座面部２１を構成する直方体ブロック２の一部が破損したような場合や、一部の色を変更したい場合、一部の材料を変更したい場合などには、容易に取り換えることができる。また、組み立て椅子４は、椅子背面部１１を構成する直方体ブロック１および椅子座面部２１を構成する直方体ブロック２がそれぞれ同形状のユニットを構成しているので、安価に大量生産することができ、組み立て椅子４の生産コストを抑制することができる。
【００２７】
このように、組み立て椅子４は、システムの機能性、美観性、そして製造、組み立てのコストパフォーマンスを良好なものとすることができる
図３は、本発明の組み立て椅子の別の実施形態を例示した斜視図である。図１、２を用いて説明した部分と共通する部分には、同一の符号を付し、以下では説明を一部省略する。
【００２８】
組み立て椅子４は、椅子背面部１１から椅子座面部２１の左右の側方に椅子肘掛部３１を構成する直方体ブロック３が連結されて、椅子肘掛部３１が形成されている。椅子肘掛部３１を構成する直方体ブロック３は、所望の椅子肘掛部３１の高さと等しい長手方向長さを有する直方体であることが好ましい。図３に例示した形態では、椅子肘掛部３１を構成する直方体ブロック３は、椅子座面部２１を構成する直方体ブロック２よりも長手方向長さが長く、椅子背面部１１を構成する直方体ブロック１と同形状に形成されている。このため、椅子肘掛部３１の高さ位置は、椅子座面部２１より一段高く位置している。椅子肘掛部３１の高さを調整する場合には、所望の高さと等しい長手方向長さを有する直方体ブロック３を適宜選択して組み替えればよく、高さの調整を容易に行うことができる。
【００２９】
図４は、本発明の組み立て椅子の別の実施形態を例示した斜視図である。図１〜３を用いて説明した部分と共通する部分には、同一の符号を付し、以下では説明を一部省略する。
【００３０】
組み立て椅子４は、椅子座面部２１の左右の側方に、直方体ブロック３が連結されて、椅子肘掛部３１が形成されている。この形態では、組み立て椅子４は、図２に例示したような椅子背面部を有していない。このように、組み立て椅子４のバリエーションとしては、椅子座面部２１と椅子肘掛部３１とによって構成された形態も含まれる。
【００３１】
図５は、本発明の組み立て椅子の別の実施形態を例示した斜視図である。図１〜４を用いて説明した部分と共通する部分には、同一の符号を付し、以下では説明を一部省略する。
【００３２】
組み立て椅子４は、椅子座面部２１の後方に椅子背面部１１を備え、さらに、椅子座面部２の左右の側方の一方（図５中の向かって左側）に、直方体ブロック３が連結されて、椅子肘掛部３１が形成されている。したがって、組み立て椅子４は、同じ高さの椅子背面部１１と椅子肘掛部３１とがＬ字状に立設されている。このように、組み立て椅子４のバリエーションとしては、椅子座面部２１と椅子背面部１１と一つの椅子肘掛部３１とによって構成された形態も含まれる。
【００３３】
本発明の組み立て椅子は、以上の形態に限定されることはなく、様々な形態をとることができる。例えば、本発明の組み立て椅子には、さらに椅子座面部の前方に配置される足置き部などが含まれていても良い。この足置き部も、長手方向長さが異なる直方体ブロックを連結して形成することができる。また、例えば、組み立て椅子が椅子背面部１１と椅子肘掛部３１とを備える場合には、それぞれを異なる高さに形成することもできる。
【００３４】
さらに、本発明の組み立て椅子に用いた直方体ブロックを用いてその他の組み立て家具を形成することもできる。
【００３５】
図６は、組み立てテーブルの一実施形態について例示した斜視図である。
【００３６】
組み立てテーブル５は、例えば図１で例示した直方体ブロックと同様の直方体ブロックを連結して形成することができる。図６で例示した形態の組み立てテーブル５は、長手方向長さが長い直方体ブロックＡが組み立てテーブルの脚部５１として使用されている。また、長手方向長さが直方体ブロックＡの半分程度の直方体ブロックＢが、その長手方向が水平方向を向くように平行に並べられて連結されて天板５２が形成されている。
【００３７】
そして、組み立てテーブル５は、水平方向への連結する直方体ブロックＢを増減させることで、天板５２の面積を容易に調整することができる。また、脚部５１を形成する直方体ブロックＡを長手方向長さの異なる別の直方体ブロックに変更することで、脚部５１の長さ（天板５２の高さ）を容易に変更することができる。さらに、組み立てテーブル５を構成する直方体ブロックＡ、Ｂは、長手方向と直交する断面形状が同じであるため、簡便かつ多様に連結することができ、様々な形態の組み立てテーブル５を形成することができる。
【００３８】
図７は、組み立てテーブルの別の実施形態について例示した斜視図である。
【００３９】
図７（Ａ）（Ｂ）に例示した組み立てテーブル５は、長手方向長さが同じである直方体ブロックを、その長手方向が鉛直方向を向くように配置して水平方向に連結することで形成されている。
【００４０】
具体的には、図７（Ａ）の組み立てテーブル５は、長手方向長さが短い直方体ブロックＢを水平方向に連結することで、高さが低いローテーブルとして形成されている。一方、図７（Ｂ）の組み立てテーブル５は、長手方向長さが長い直方体ブロックＡを水平方向に連結することで、高さが高いハイテーブルとして形成されている。
【００４１】
この形態の組み立てテーブル５では、組み立てテーブル５の高さを調整する場合には、所望の高さを考慮して好適な長手方向長さを有する直方体ブロックＡ、Ｂを選択して組み替えればよく、高さの調整を容易に行うことができる。したがって、従来のような高さ調整のためのブロックの積み上げや除去などの手間が不要であり簡便である。また、図７（Ａ）（Ｂ）に例示した組み立てテーブル５では、水平方向に連結する直方体ブロックＡ、Ｂの数や配置を変更することで、大きさ、形状を簡便かつ自在に変更することができる。
【００４２】
組み立てテーブルは、以上の形態に限定されることはなく、様々な形態をとることができる。
【００４３】
また、例えば、図７（Ａ）（Ｂ）に例示した組み立てテーブルの形態を応用することもでき、例えば、長手方向長さが同じである直方体ブロックを、その長手方向が鉛直方向を向くように配置して水平方向に連結することで、組み立て式の棚、ベッドなどを形成することもできる。
【００４４】
次に、本発明の組み立て椅子や組み立てテーブルなどにおける直方体ブロックの連結手段の一実施形態について説明する。
【００４５】
直方体ブロックを連結する連結手段は、隣接する直方体ブロックの連結と脱離を自在とするための公知の手段を適宜採用することができ、特に限定されない。具体的には、連結手段としては、例えば、面ファスナー、接着剤、ボルトなどの固定部材、磁石、吸盤、紐などを適宜利用することができる。例えば、直方体ブロックとは別体として凹部を有するシート状の敷設体を敷設し、この敷設体の凹部に直方体ブロックを上方から差し込むこと直方体ブロックを間接的に連結することもできる。
【００４６】
図８（Ａ）（Ｂ）は、本発明の組み立て家具における直方体ブロックを連結するための連結部材の一実施形態を例示した斜視図である。
【００４７】
例えば、図８（Ａ）に例示したように、連結部材６を介して、隣接する直方体ブロックＣを連結することができる。この場合、例えば、連結部材６と直方体ブロックＣとの当接面に塗布した接着剤による接着によって隣接する直方体ブロックＣ同士を連結することができる。
【００４８】
また、例えば、図８（Ｂ）に例示したように、直方体ブロックＣに凹部Ｃ１を設け、連結部材６には直方体ブロックＣの凹部Ｃ１に対応する凸部６１を設け、隣接する直方体ブロックＣを連結部材６との凹凸嵌合を介して連結することもできる。この際、適宜接着剤などを使用することもできる。また、直方体ブロックＣに凸部、連結部材に凹部を設けて凹凸嵌合させることで、連結部材を介して直方体ブロックＣを連結することもできる。
【００４９】
図９は、本発明の組み立て家具における直方体ブロックを連結するための連結部材の一実施形態を例示した斜視図である。
【００５０】
例えば、図９に例示したように、直方体ブロックＣの対向端面に凹部Ｃ１を形成し、所定の間隔で凸部６１が形成された板状の２つの連結部材６でもって、凹部Ｃ１が形成された直方体ブロックＣの端面を挟み込んで凹凸嵌合させて直方体ブロックＣを連結することもできる。この場合にも、接着剤などを適宜使用することができる。
【符号の説明】
【００５１】
１    椅子背面部を構成する直方体ブロック
１１  椅子背面部
２    椅子座面部を構成する直方体ブロック
２１  椅子座面部
３    肘掛部を構成するブロック
３１  椅子肘掛部
４    組み立て椅子
５    組み立てテーブル
【図１】
2015123227.tif 000003
【図２】
2015123227.tif 000004
【図３】
2015123227.tif 000005
【図４】
2015123227.tif 000006
【図５】
2015123227.tif 000007
【図６】
2015123227.tif 000008
【図７】
2015123227.tif 000009
【図８】
2015123227.tif 000010
【図９】
2015123227.tif 000011